(57)【特許請求の範囲】
【請求項１】
互いに通信回線を介して接続された複数のファクシミリサーバ装置とデータサーバ装置とを備えたファクシミリシステムにおいて、
上記データサーバ装置は、画像データの配信条件テーブル及びファクシミリサーバ装置能力テーブルを格納し、上記ファクシミリサーバ装置からの受信通知データに応答して、当該受信通知データに対応する画像データの配信先及び配信元をそれぞれ上記配信条件テーブル及びファクシミリサーバ装置能力テーブルを検索して決定し、決定された配信先及び配信元を配信先通知データを用いて上記ファクシミリサーバ装置に通知し、
上記各ファクシミリサーバ装置は、上記配信先通知データに応答して、決定された配信元が当該装置自身であるか否かを判断し、決定された配信元が当該装置自身であるとき、対応する画像データを上記配信先通知データで指示された配信先に配信する一方、決定された配信元が当該装置自身以外のファクシミリサーバ装置であるとき、上記配信先通知データに含まれる配信先に対して配信を委託する旨の配信委託データを、配信すべき対応する画像データとともに配信元へ送信することを特徴とするファクシミリシステム。
【請求項２】
互いに通信回線を介して接続された複数のファクシミリサーバ装置とデータサーバ装置とを備えたファクシミリシステムのためのファクシミリサーバ装置において、
ファクシミリサーバ装置からの受信通知データに対応する画像データの配信先及び配信元を含み上記データサーバ装置から通知される配信先通知データに応答して、決定された配信元が当該装置自身であるか否かを判断する手段と、
決定された配信元が当該装置自身であるとき、対応する画像データを上記配信先通知データで指示された配信先に配信する一方、決定された配信元が当該装置自身以外のファクシミリサーバ装置であるとき、上記配信先通知データに含まれる配信先に対して配信を委託する旨の配信委託データを、配信すべき対応する画像データとともに配信元へ送信する手段とを備えたことを特徴とするファクシミリサーバ装置。
【発明の詳細な説明】
【０００１】
【発明の属する技術分野】
本発明は、互いに通信回線を介して接続された複数のファクシミリサーバ装置とデータサーバ装置とを備えたファクシミリシステム、ファクシミリシステムのためのデータサーバ装置及びファクシミリサーバ装置に関する。
【０００２】
【従来の技術】
例えば、公衆電話回線などの通信回線に接続されファクシミリの送受信機能を有するファクシミリサーバ装置と、パーソナルコンピュータなどのクライアント装置とがローカルエリアネットワーク（以下、ＬＡＮという。）を介して接続してなるファクシミリシステムが実用化されている。この従来技術のファクシミリシステムでは、クライアント装置からファクシミリサーバ装置に対して画像データ及び送信先情報を含む電子メールを送信することにより、ファクシミリサーバ装置は、画像データを通信回線を介して送信先に送信する一方、ファクシミリサーバ装置が画像データを受信したときは、画像データを所定のクライアント装置に送信することにより、クライアント装置は画像データを受信する。
【０００３】
この従来技術のファクシミリサーバ装置においては、Ｇ３ファクシミリの画像データや、電子メールを用いたインターネットファクシミリの画像データを受信して、クライアント装置等に配信処理を行うことができる。
【０００４】
【発明が解決しようとする課題】
しかしながら、従来技術では、複数のファクシミリサーバ装置を使用している場合、各ファクシミリサーバ装置毎に配信条件を登録設定する必要があり、登録設定の作業が極めて煩雑であるという問題点があった。また、複数のファクシミリサーバ装置を使用していて、しかも、各ファクシミリサーバ装置の能力に差がある場合などにおいては、配信条件の保守がきわめて面倒であった。
【０００５】
本発明の目的は以上の問題点を解決し、複数のファクシミリサーバ装置を使用していても、各ファクシミリサーバ装置毎に配信条件を登録設定する必要がなく、しかも配信条件の保守が従来技術に比較して簡単であるファクシミリシステム、ファクシミリシステムのためのデータサーバ装置及びファクシミリサーバ装置を提供することにある。
【０００６】
【課題を解決するための手段】
本発明に係るファクシミリシステムは、互いに通信回線を介して接続された複数のファクシミリサーバ装置とデータサーバ装置とを備えたファクシミリシステムにおいて、
上記データサーバ装置は、画像データの配信条件テーブル及びファクシミリサーバ装置能力テーブルを格納し、上記ファクシミリサーバ装置からの受信通知データに応答して、当該受信通知データに対応する画像データの配信先及び配信元をそれぞれ上記配信条件テーブル及びファクシミリサーバ装置能力テーブルを検索して決定し、決定された配信先及び配信元を配信先通知データを用いて上記ファクシミリサーバ装置に通知し、
上記各ファクシミリサーバ装置は、上記配信先通知データに応答して、決定された配信元が当該装置自身であるとき、対応する画像データを上記配信先通知データで指示された配信先に配信する一方、決定された配信元が当該装置自身以外のファクシミリサーバ装置であるとき、配信を委託する旨の配信委託データを対応する画像データとともに送信することを特徴とする。
【０００７】
また、本発明に係るデータサーバ装置は、互いに通信回線を介して接続された複数のファクシミリサーバ装置とデータサーバ装置とを備えたファクシミリシステムのためのデータサーバ装置において、
上記データサーバ装置は、画像データの配信条件テーブル及びファクシミリサーバ装置能力テーブルを格納し、上記ファクシミリサーバ装置からの受信通知データに応答して、当該受信通知データに対応する画像データの配信先及び配信元をそれぞれ上記配信条件テーブル及びファクシミリサーバ装置能力テーブルを検索して決定し、決定された配信先及び配信元を配信先通知データを用いて上記ファクシミリサーバ装置に通知することを特徴とする。
【０００８】
さらに、本発明に係るファクシミリサーバ装置は、互いに通信回線を介して接続された複数のファクシミリサーバ装置とデータサーバ装置とを備えたファクシミリシステムのためのファクシミリサーバ装置において、
上記ファクシミリサーバ装置は、上記配信先通知データに応答して、決定された配信元が当該装置自身であるとき、対応する画像データを上記配信先通知データで指示された配信先に配信する一方、決定された配信元が当該装置自身以外のファクシミリサーバ装置であるとき、配信を委託する旨の配信委託データを対応する画像データとともに送信することを特徴とする。
【０００９】
【発明の実施の形態】
以下、図面を参照して本発明に係る実施形態について説明する。
【００１０】
＜第１の実施形態＞
図１は、本発明に係る実施形態である、公衆電話網に対する認証申請機能を有するファクシミリサーバ装置２０を備えたファクシミリシステムの構成を示すブロック図である。この実施形態に係るファクシミリシステムは、複数Ｎ台のクライアントパーソナルコンピュータ（以下、クライアントＰＣと略す。）３０−１乃至３０−Ｎ（以下、総称して符号３０を付す。）と、配信条件テーブル２０７ａをＲＡＭ２０７に備えたデータサーバ装置４０と、公衆電話回線Ｌ１，Ｌ２を介してそれぞれ公衆電話網８０に接続された２個のファクシミリサーバ装置２０−１，２０−２（以下、総称して符号２０を付す。）と、メールサーバ装置５０と、インターネット９０に接続されたルータ装置６０とがＬＡＮ７０を介して接続されて構成される。
【００１１】
この実施形態に係るファクシミリシステムは、互いに例えばＬＡＮ７０などの通信回線を介して接続されたファクシミリサーバ装置２０−１，２０−２とデータサーバ装置４０とを備え、データサーバ装置４０は、画像データの配信条件テーブル２０７ａをＲＡＭ２０７に格納し、図９に示すように、ファクシミリサーバ装置２０−１又は２０−２からの受信通知データに応答して、当該受信通知データに対応する画像データの配信先を上記配信条件テーブル２０７ａを検索して決定し、決定された配信先を配信先通知データを用いてファクシミリサーバ装置２０−１又は２０−２に通知し、ファクシミリサーバ装置２０−１又は２０−２は、上記配信先通知データに応答して、対応する画像データを上記配信先通知データで指示された配信先に配信することを特徴としている。
【００１２】
図１において、メールサーバ装置５０は、クライアントＰＣや相手先のメールサーバ装置（図示せず。）からインターネット９０及びＬＡＮ７０を介して受信し、受信した電子メールがＭＩＭＥ形式で符号化された画像データを含むときは画像データを含む電子メールを保持する。インターネット９０経由で画像データを含む電子メールを送信するときは、クライアントＰＣ３０からメールサーバ装置５０、ルータ装置６０及びインターネット９０を介して相手先のメールサーバ装置に送信される。
【００１３】
図２は、図１のクライアントＰＣ３０の構成を示すブロック図である。図２において、クライアントＰＣ３０は、公知のパーソナルコンピュータであって、画像データや文字データの生成や記録などの処理を実行する。本実施形態においては、クライアントＰＣ３０は、一例として、ファクシミリの画像データを送信し又は受信する端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントＰＣ３０において、画像読取部１０２及び画像記録部１０３はオプションで設けられ、画像読取部１０２は、ＣＣＤ等を利用したスキャナで原稿を読み取り、白黒２値に変換したドットイメージデータを出力する。画像記録部１０３は例えば電子写真方式等のプリンタ装置であり、他のファクシミリサーバ装置からファクシミリ通信により受信したイメージデータをハードコピーとしてプリントアウトして記録したり、文字データを記録する。表示部１０４は、液晶表示装置（ＬＣＤ）又はＣＲＴディスプレイ等の表示装置であり、当該クライアントＰＣ３０の動作状態を表示したり、送信すべき原稿のイメージデータ、及び受信したイメージデータの表示を行う。操作部１０５は、例えばキーボードであり、文字データや指示コマンドを入力するためのものである。
【００１４】
ＲＯＭ１０６は、当該クライアントＰＣ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００１５】
図３は、図１のファクシミリサーバ装置２０の構成を示すブロック図である。図３において、ファクシミリサーバ装置２０は、従来のＧ３方式等のファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。表示部４は、液晶表示装置（ＬＣＤ）又はＣＲＴディスプレイ等の表示装置であり、当該ファクシミリサーバ装置２０の動作状態を表示したり、送信すべき原稿のイメージデータ、及び受信したイメージデータの表示を行う。操作部５は、当該ファクシミリサーバ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該ファクシミリサーバ装置２０の動作に必要であって主制御部１によって実行される種々のソフトウェアのプログラムを予め格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。
【００１７】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１８】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００１９】
以上のように構成されたファクシミリサーバ装置２０は、通常のＧ３方式等のファクシミリ通信機能を有している。なお、画像メモリ８はイメージデータを必要に応じて記憶し、また逆に記憶しているイメージデータを必要に応じて出力する。また、ファクシミリサーバ装置２０は、上記配信先通知データに応答して、対応する画像データを上記配信先通知データで指示された配信先に配信し、ここで、配信方法は、公衆電話網Ｌ１，Ｌ２を介するＩＴＵ−Ｔ勧告のＴ．３０の通信手順に基づくファクシミリ送信と、インターネット９０を介して電子メールを用いて画像データを送信するインターネットファクシミリ送信とを含む。さらに、ファクシミリサーバ装置２０は、上述の配信の後、配信結果のデータを含む配信先結果通知データをデータサーバ装置４０に出力することにより通知する。
【００２０】
図４は、図１のデータサーバ装置４０の構成を示すブロック図である。このデータサーバ装置４０は、画像データの配信条件テーブル２０７ａをＲＡＭ２０７に格納し、図６乃至図８のデータサーバ処理を実行することにより、ファクシミリサーバ装置２０−１又は２０−２からの受信通知データに応答して、当該受信通知データに対応する画像データの配信先を上記配信条件テーブル２０７ａを検索して決定し、決定された配信先を配信先通知データを用いてファクシミリサーバ装置２０−１又は２０−２に通知する。また、データサーバ装置４０は、ファクシミリサーバ装置２０−１又は２０−２から送信されてくる配信結果のデータを含む配信先結果通知データを受信し、このデータをハードディスクドライブ２０８に格納して、ファクシミリサーバ装置２０による配信処理結果の通信履歴の管理を一元的に行う。
【００２１】
図４において、表示部２０４は、液晶表示装置（ＬＣＤ）又はＣＲＴディスプレイ等の表示装置であり、当該データサーバ装置４０の動作状態を表示したり、送信すべき原稿のイメージデータ、及び受信したイメージデータの表示を行う。操作部２０５は、当該データサーバ装置４０を操作するために必要な文字キー、及び各種のファンクションキー等を備える。なお、上述の表示部２０４をタッチパネル方式とすることにより、この操作部２０５の各種キーの内の一部又は全部を代用するように構成してもよい。
【００２２】
ＲＯＭ２０６は、当該データサーバ装置４０の動作に必要であって主制御部２０１によって実行される、図６乃至図８に図示されたデータサーバ処理を含む種々のソフトウェアのプログラムを予め格納する。ＲＡＭ２０７は、ＳＲＡＭ、ＤＲＡＭ、ＳＤＲＡＭ等で構成され、主制御部２０１のワーキングエリアとして使用されてプログラムの実行時に発生する一時的なデータを記憶する。ここで、ＲＡＭ２０７は詳細後述する配信条件テーブル２０７ａを含む。ＲＡＭ２０７としてフラッシュメモリを使用した場合には、停電、装置の移動等のために電源が遮断された場合にもそのデータの内容が失われない。さらに、ＬＡＮインターフェース２１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２３】
図５は図４のＲＡＭ２０７内の配信条件テーブル２０７ａの一例を示す図であり、受信又は走査された画像データをどのように配信するかを示す配信条件を示している。登録される配信条件としては、種々の条件や配信先を登録することができ、図５に示した例では、受信条件及び配信稼動日時を条件として、その条件を満足する場合の配信先、および、受信したファクシミリ画像データを画像記録部３で用紙に記録出力するか否かを示す情報を含んでいる。
【００２４】
受信条件としては、ファクシミリ画像データの発信元装置（又は電気通信事業者の交換機）から送られてくるあらゆる情報に対して条件を設定することができる。例えば、着信時に交換機から送られてくる発信者番号通知やＩＳＤＮサブアドレス、ファクシミリ手順の中でＴＳＩ信号として送られてくる発信元の番号やＦコードサブアドレス及びパスワードに対して条件を設定することが可能である。また、複数の回線からの受信が可能な場合には、着信した回線番号等についても条件を設定することが可能である。図５に示した例では、ＴＳＩ信号により送られてきた発信元番号が「０３−４５６７−８９０１」であるという受信条件と、ＩＳＤＮサブアドレスが「＊２」であるという受信条件を示している。もちろん、例えば発信元の市外局番のみを条件とするなどといった、部分的な情報を条件としたり、除外する条件を設定するなど、各種の条件を設定することが可能である。
【００２５】
また受信条件としては、このような個別の条件の他、ファクシミリ受信時には常時適合する（すべての受信を対象とする）条件を設定してもよい。図５においては、「常時適合」と記してこの条件を示している。さらに、配信条件格納部１３に格納されている配信条件のうち、その配信条件を除く配信条件に適合しなかったという条件を設定することができる。図５においては、「上記条件以外」と記してこの条件を示している。
【００２６】
配信稼動日時は、配信を行う時間帯を条件として設定することができる。例えば図５に示した例では、９時から１７時までの勤務時間内での配信を指定する条件と、月曜日から金曜日のウィークデーを指定する条件、及びこれらを組み合わせた条件を示している。これらの条件は、例えば毎日、毎週、毎月、毎年と繰り返して有効とするのか、あるいはその時のみの指定なのかを指定することができる。図５に示した例では、「毎日」、「毎週」として、繰り返して有効にすることを示している。もちろん、このような時間と曜日や日付を組み合わせて指定してもよく、組み合わせた例も図５に示している。また、配信を行わない時間帯を指定してもよい。さらに、図５において「常時」と示しているように、時間帯の制限を行わないこともできる。
【００２７】
配信先としては、配信先を特定する種々の情報を設定しておくことができる。例えばＬＡＮ等の他のネットワーク上のクライアントＰＣ３０に対して配信するのであれば、例えば電子メールアドレスを設定したり、ＳａｌｕｔａｔｉｏｎユーザーＩＤを設定することもできる。あるいは、装置を特定するのであれば、ＩＰアドレスを設定してもよい。また、公衆電話回線Ｌを介してファクシミリ配信する場合には、ＦＡＸ番号を設定しておけばよい。もちろん、このほかにも配信先との通信プロトコルに応じた配信先を特定する情報を設定することができる。また、例えば電子メールアドレスを指定する際にドメインまでを設定するなど、配信先のグループを指定することも可能である。なお、配信先として複数の配信先を設定することができ、その場合に通信プロトコルが異なる配信先が混在していてもよい。
【００２８】
用紙に記録出力するか否かを示す情報は、例えば画像記録部３や予め設定されているＬＡＮ７０上のプリンタなどによって受信したファクシミリ画像データを記録出力するか否かを示すものである。適合した配信条件が複数存在するとき、そのうちの１つでも記録出力する指定が行われていれば、受信したファクシミリ画像データを記録出力する。あるいは、適合した配信条件のうち、記録出力が指定されている配信条件の数だけの部数を記録出力するなど、記録出力の条件を別途定めておいてもよい。なお、適合した配信条件において記録出力しない旨の指定が行われている場合でも、その配信条件で設定されている配信先に受信したファクシミリの画像データを配信できない場合には、この設定にかかわらず記録出力するように構成することができる。
【００２９】
図６は、図４のファクシミリサーバ装置４０の主制御部２０１によって実行されるデータサーバ処理を示すフローチャートである。
【００３０】
図６において、まず、ステップＳ１では受信通知データを受信したか否かが判断され、ＹＥＳとなるまでステップＳ１の処理を繰り返し、ＹＥＳのときにステップＳ２に進む。ステップＳ２において受信通知データを解析した後、ステップＳ３において図７及び図８に図示された配信先決定処理を実行することにより、ファクシミリサーバ装置２０からの受信通知データに対応する画像データの配信先を上記配信条件テーブル２０７ａを検索して決定し、ステップＳ４に進む。さらに、ステップＳ４では、配信先のデータを含む配信先通知データを上記ファクシミリサーバ装置２０に返信して当該データサーバ処理を終了する。
【００３１】
図７及び図８は図６のサブルーチンである配信先決定処理（ステップＳ３）を示すフローチャートである。
【００３２】
まず、図７のステップＳ５２において、初期設定を行う。ここでは、配信条件を順次選択するための変数Ｎを１にセットし、記録出力を行うか否かを示す印刷フラグを０にセットし、宛先を格納する宛先リストＤ１，Ｄ２を空（Ｎｕ１１）にセットする。各種の初期設定を行った後、配信条件テーブル７ａに格納されている各配信条件についての処理を行う。ステップＳ５３において、Ｎ番目の配信条件について、現在の日時が配信稼動日時の範囲内か否かを判定する。配信稼動日時の範囲該であれば、その配信条件は適合しないものとしてステップＳ５９へ進む。
【００３３】
現在の日時が配信稼動日時の範囲内の場合には、ステップＳ５４及びステップＳ５５において、配信条件中の受信条件を調べる。ステップＳ５４で受信条件が常時適合する条件の場合には、ステップＳ５６において、配信条件に設定されている配信先を宛先リストＤ１に追加する。このとき、既に宛先リストＤ１に含まれている配信先については、重複して追加することはしない。また、他のいずれの配信条件にも適合しないことを条件とする場合（ここでは「上記条件以外」として示している。）には、この時点ではそのままステップＳ５９へ進む。
【００３４】
さらに、これら以外の個別の条件が設定されている場合には、ファクシミリ受信時の発信元装置（又は交換機）からの種々の情報がその条件を満足するか否かをステップＳ５５で判定する。個別の条件を満たしていなければ、ステップＳ５９へ進む。個別の条件を満たしていれば、その配信条件に適合するものとして、ステップＳ５６において対応する配信先を宛先リストＤ１に追加する。このとき、既に宛先リストＤ１に含まれている配信先については、重複して追加することはしない。
【００３５】
ステップＳ５６で配信先の宛先リストＤ１への追加を行った後、ステップＳ５７において、記録出力を行うか否かの設定を参照する。記録出力を行う設定が行われている場合のみ、ステップＳ５８において、印刷フラグを１にセットする。ステップＳ５９において、変数Ｎと配信条件の登録数を比較し、変数Ｎの値が登録数より小さければ、ステップＳ６０において変数Ｎの値を１だけ増加させ、次の配信条件についての処理を行うべく、ステップＳ５３に戻る。尚、配信条件の登録数は、例えば実際に配信条件テーブル７ａに格納されている配信条件の数とするほか、登録可能な配信条件の最大数に固定し、登録されていない部分では条件が適合しないように制御してもよい。
【００３６】
変数Ｎの値が登録数以上となり、すべての配信条件について処理を行ったら、図８のステップＳ６１において、宛先リストＤ１に配信先が格納されているか否か（Ｎｕ１１か否か）を判定する。もし、宛先リストＤ１に配信先が格納されている場合には、ステップＳ６２において宛先リストＤ１に格納されているそれぞれの配信先に対して、ステップＳ５１で受信したファクシミリ画像データを配信する。ステップＳ６１において宛先リストＤ１が空（Ｎｕ１１）のままである場合には、他のいずれの配信条件にも適合しないことを条件とする配信条件があればその配信条件に適合するものとして、ステップＳ６３乃至ステップＳ７１の処理を行う。
【００３７】
すなわち、ステップＳ６３において、上述と同様の変数Ｎを１にリセットする。そして、変数Ｎの値を１ずつ増加させながら、Ｎ番目の配信条件について調べてゆく。ステップＳ６４において、Ｎ番目の配信条件の配信稼動日時が現在の日時を含むか否かを判定し、含まない場合にはその配信条件に適合しないものとしてステップＳ６９へ進む。Ｎ番目の配信条件の配信稼動日時が現在の日時を含む場合には、ステップＳ６５において、その配信条件中の受信条件が、他のいずれの配信条件にも適合しないことを条件とするものであるか否かを判定する。なお、図５では他のいずれの配信条件にも適合しないことを条件とする場合として、「上記条件以外」として示している。受信条件がこの条件でない場合、すなわち常時適合する条件あるいは個別の条件の場合には、ステップＳ６９に進む。
【００３８】
このようにして、現在日時が配信稼動日時内であって、他のいずれの配信条件にも適合しないことを条件とする配信条件が見つかった場合には、ステップＳ６６において、その配信条件に対応する配信先を宛先リストＤ２に追加する。このとき、既に宛先リストＤ２に含まれている配信先については、重複して追加することはしない。
【００３９】
さらに見つかった配信条件について、ステップＳ６７において記録出力を行うか否かの設定を参照する。そして記録出力を行う設定が行われている場合のみ、ステップＳ６８において、印刷フラグを１にセットする。次いで、ステップＳ６９において、変数Ｎと配信条件の登録数を比較し、変数Ｎの値が登録数より小さければ、ステップＳ７０において変数Ｎの値を１だけ増加させ、次の配信条件についての処理を行うべく、ステップＳ６４に戻る。なお、配信条件の登録数は、ステップＳ５９の場合と同様である。
【００４０】
変数Ｎの値が登録数以上となり、すべての配信条件について処理を行ったら、ステップＳ７１において、宛先リストＤ２に格納されているそれぞれの配信先に対して、ステップＳ５１で受信したファクシミリ画像データを配信する。この例では、ステップＳ６３乃至ステップＳ７０の処理によって、他のいずれの配信条件にも適合しないことを条件とする配信条件を改めて探す処理を行っているが、例えばステップＳ５４においてこの条件の配信条件を見つけた際に、そのときの変数Ｎの値を待避させておき、待避させておいた値をもとに、配信先を取得してもよい。
【００４１】
なお、ステップＳ６２又はステップＳ７１における配信先へのファクシミリ画像データの配信は、それぞれの配信先に応じたプロトコルによって行うことになる。例えばＬＡＮ７０を介して公知のＳａｌｕｔａｔｉｏｎプロトコルで送信したり、電子メールとしてＳＭＴＰで送信することができる。あるいは、公衆電話回線Ｌを介してファクシミリ送信することができる。
【００４２】
ステップＳ６２又はステップＳ７１における配信先へのファクシミリ画像データの配信処理を行った後、ステップＳ７２において、印刷フラグを参照する。もし印刷フラグが１になっていれば、ステップＳ７４において、受信したファクシミリ画像データを例えば記録部１６などから記録出力する。また、印刷フラグが０のままの場合には、ステップＳ７３において配信できなかった配信先が存在するか否かを判定し、配信できなかった配信先が存在する場合にもステップＳ７４において受信したファクシミリ画像データを記録出力することを指定して元のメインルーチンに戻る。なお、配信先へファクシミリ画像データを配信できたか否かを判断する際には、例えば配信後、所定時間だけ待って配信先から受信の応答がなかった場合や、配信を所定回数だけリトライしても配信できなかった場合などのとき、配信できなかったと判断することができる。このようにして、予め登録されている配信条件に従って、受信したファクシミリ画像データを配信先へ配信することができる。
【００４３】
以上説明したように、本実施形態に係るデータサーバ処理によれば、配信条件により配信先を決定するので、状況に応じた配信を行うことが可能になり、柔軟なシステム運用が可能になる。例えば配信条件として配信を行う時間帯を登録すれば、ファクシミリ受信した時間によって配信先を変更するといった設定も容易に行うことができる。また、配信先としてプロトコルの異なる複数の配信先を指定しても、それぞれの配信先に応じたプロトコルで配信を行うので、通信プロトコルなどを気にせずに配信先の設定を容易に行うことができる。もちろん、記録出力も指定することができる。さらに、配信できなかったファクシミリ画像データについては記録出力することによって、受信したファクシミリ画像データが装置内に格納されたまま忘れ去られるといった事態を回避することができる。
【００４４】
図９は、第１の実施形態に係るデータサーバ処理を含む処理動作を示すタイミングチャートである。
【００４５】
【表１】
0003603809.tif 000002
【００４６】
次いで、データサーバ装置４０は、受信通知データに応答して、図６乃至図８のデータサーバ処理を実行することにより、配信条件テーブル２０７ａを参照して配信先を決定し、その情報を含む表２に示す配信先通知データをファクシミリサーバ装置２０−１に返信する。表２から明らかなように、公衆電話網Ｌ１を介してファクシミリ送信するときは、ファクシミリ番号が指定される一方、例えば、ＳＭＴＰの通信手順により電子メールを用いて画像データを送信するときは、電子メールが指定される。なお、表２における、最後の２行は、画像記録部３により印字は無く、画像データと受信情報などを指定された場所に格納するということを示している。
【００４７】
【表２】
0003603809.tif 000003
【００４８】
次いで、ファクシミリサーバ装置２０−１は、受信した配信先通知データに基づいて、先にファクシミリ受信した画像データを、配信データとして、例えばクライアントＰＣ３０−１及び３０−２に送信する。ここで、配信方法は、配信先通知データにより指定される、公衆電話網Ｌ１を介するＴ．３０の通信手順、もしくは、電子メールを用いて画像データを送信する方法である。さらに、ファクシミリサーバ装置２０−１は、これらの配信の結果（ＯＫ又はＮＧであるか）の情報を含む表３に示す配信先結果通知データをデータサーバ装置４０に送信して当該一連のファクシミリ送信の処理を終了する。なお、表３の７行目において、”Ｔ．３．１”は途中中断の通信エラーを示している。
【００４９】
【表３】
0003603809.tif 000004
【００５０】
以上のように構成された第１の実施形態に係るファクシミリシステムにおいては、配信設定データを含む配信条件テーブル２０７ａを保守し管理するデータサーバ装置４０を設けることにより、各ファクシミリサーバ装置２０内のリソースを節約するとともに、ファクシミリサーバ装置２０の増設や撤去や配信条件の決定方法や配信条件の追加や削除などのファクシミリシステムの構築や変更作業を容易に行えることを特徴とした複数のファクシミリサーバ装置２０による配信システムを提供することができる。
【００５１】
図５に示すような、配信条件テーブル２０７ａを格納して管理する、データサーバ装置４０を設けることにより、配信設定はクライアントＰＣ３０からウエブブラウザ等を用いてデータサーバ装置４０にアクセスし参照し編集することができる。また、ファクシミリサーバ装置２０は、受信されたファクシミリの原稿の画像データや、受信した電子メール、画像読取部２から読み込んだ原稿の画像データなどを配信することができる。ここで、配信とは、電子メールによる配信、ファクシミリ通信による配信、Ｓａｌｕｔａｔｉｏｎなどによる配信、画像記録部３による印字あるいは、内部や外部のサーバ装置のディスクドライブへの蓄積などを意味する。
【００５２】
図５に示すように、配信条件テーブル２０７ａにおいて配信するための条件には、ファクシミリサーバ装置２０体の識別子（ファクシミリサーバ装置の名前、番号、ＩＰアドレスなど）や受信されたファクシミリの画像データの発信元番号、サブアドレス、発信者番号通知の番号、電子メールの送信者のアドレス、電子メールのフォーマット、添付ファイルのフォーマットなどを条件にすることができる。
【００５３】
第１の実施形態では、ファクシミリサーバ装置２０は、配信の対象になる文書の画像データを受信すると、データサーバ装置４０に対して、配信条件を検索するための受信文書の諸情報を含む受信通知データをデータサーバに対して送信することにより通知する。データサーバ装置４０への通知の方法は、ＳＭＴＰ、ＨＴＴＰあるいは独自のプロトコルなどで行うことができる。これに応答して、データサーバ装置４０はファクシミリサーバ装置２０より通知された情報をもとに格納された配信条件テーブル２０７ａを検索し、決定された配信先（配信しない場合を含む）を応答として配信先通知データを送信することによりファクシミリサーバ装置２０に対して通知する。ここで、ファクシミリサーバ装置２０は、通知された結果のとおりに配信を行い、その結果を含む配信先結果通知データをデータサーバ装置４０に送信することにより通知する。
【００５４】
以上説明したように、データサーバ装置４０は通信の情報（ファクシミリサーバ装置のサーバ名や受信文書の諸情報、配信結果など）を、通信履歴として内部の通信管理データに記述することにより、通信を一元管理できる。また、通信履歴は配信設定データと同様にクライアントＰＣ３０などのウエブブラウザなどから参照し編集することができる。
【００５５】
なお、各ファクシミリサーバ装置２０には、データサーバ装置４０とのインターフェース回路を実装するだけで、配信の設定・管理などを行う能力は実装しなくても、配信システムの端末装置として稼動できる。
【００５６】
以上説明したように、第１の実施形態によれば、データサーバ装置４０は、画像データの配信条件テーブル２０７ａをＲＡＭ２０７に格納し、図９に示すように、ファクシミリサーバ装置２０−１又は２０−２からの受信通知データに応答して、当該受信通知データに対応する画像データの配信先を上記配信条件テーブル２０７ａを検索して決定し、決定された配信先を配信先通知データを用いてファクシミリサーバ装置２０−１又は２０−２に通知し、ファクシミリサーバ装置２０−１又は２０−２は、上記配信先通知データに応答して、対応する画像データを上記配信先通知データで指示された配信先に配信する。従って、複数のファクシミリサーバ装置２０を使用していても、各ファクシミリサーバ装置２０毎に配信条件を登録設定する必要がなく、ファクシミリサーバ装置２０を追加してもデータサーバ装置の配信条件を利用できる。また、データサーバ装置４０に格納された配信条件テーブルを変更するだけで、変更された配信条件テーブルをすべてのファクシミリサーバ装置２０で適用できる。これにより、当該ファクシミリシステムにおける操作性を大幅に向上させることができる。
【００５７】
＜第２の実施形態＞
図１０は、第２の実施形態に係るデータサーバ装置４０の構成を示すブロック図である。この第２の実施形態は、第１の実施形態に比較して、図１０に示すように、図４のデータサーバ装置４０のＲＡＭ２０７にファクシミリサーバ装置能力テーブル２０７ｂをさらに備え、データサーバ装置４０は、図１２に示すように、ファクシミリサーバ装置２０からの受信通知データに応答して、当該受信通知データに対応する画像データの配信先及び配信元をそれぞれ配信条件テーブル２０７ａ及びファクシミリサーバ装置能力テーブル２０７ｂを検索して決定し、決定された配信先及び配信元を配信先通知データを用いてファクシミリサーバ装置２０に通知し、ファクシミリサーバ装置２０は、上記配信先通知データに応答して、決定された配信元が当該装置自身であるとき、対応する画像データを上記配信先通知データで指示された配信先に配信する一方、決定された配信元が当該装置自身以外のファクシミリサーバ装置であるとき、配信を委託する旨の配信委託データを対応する画像データとともに送信することを特徴としている。以下、第１の実施形態との相違点について詳細に説明する。
【００５８】
図４のデータサーバ装置４０のＲＡＭ２０７は、上述のように、ファクシミリサーバ装置能力テーブル２０７ｂをさらに予め格納して備える。このファクシミリサーバ装置能力テーブル２０７ｂでは、データサーバ装置４０において一元的に管理する複数のファクシミリサーバ装置２０についての装置能力などのデータを格納している。当該装置能力等は、具体的には、ファクシミリサーバ装置２０のサーバ名称、ＩＰアドレス（又はＭＡＣアドレス）、サーバ番号、モデムの最高速度、電子メールによる画像データの送受信能力（ＳＭＴＰ／ＰＯＰ３など）、ＳＡＬＵＴＡＴＩＯＮ端末としての能力（ＦＡＸＦＵ，ＰＲＴＦＵなど）、画像記録部３の印字速度、用紙の最大幅、非標準能力などを含む。
【００５９】
図１１は、第２の実施形態に係るデータサーバ処理を示すフローチャートである。この第２の実施形態に係るデータサーバ処理は、図６に図示された第１の実施形態に比較してステップＳ３とステップＳ４との間に、ステップＳ５乃至Ｓ８を追加挿入し、ステップＳ４の処理をステップＳ４Ａに変更したことを特徴としている。
【００６０】
図６において、まず、ステップＳ１では受信通知データを受信したか否かが判断され、ＹＥＳとなるまでステップＳ１の処理を繰り返し、ＹＥＳのときにステップＳ２に進む。ステップＳ２において受信通知データを解析した後、ステップＳ３において図７及び図８に図示された配信先決定処理を実行することにより、ファクシミリサーバ装置２０からの受信通知データに対応する画像データの配信先を上記配信条件テーブル２０７ａを検索して決定し、ステップＳ５に進む。
【００６１】
ステップＳ５において、すべてのファクシミリサーバ装置２０のチェックが終了したか否かが判断され、ＮＯのときはステップＳ６に進む一方、ＹＥＳのときはステップＳ４Ａに進む。次いで、ステップＳ６では、ファクシミリサーバ装置能力テーブル２０７ｂを参照して当該ファクシミリサーバ装置２０に配信能力があるか否かが判断され、ＹＥＳのときはステップＳ７に進む一方、ＮＯのときはステップＳ５に戻る。さらに、ステップＳ７においてファクシミリサーバ装置能力テーブル２０７ｂを参照して、先に決定したファクシミリサーバ装置２０より配信効率がよいか否かが判断され、ＹＥＳのときはステップＳ８に進む一方、ＮＯのときはステップＳ５に戻る。そして、ステップＳ８では、配信元のファクシミリサーバ装置２０としてＲＡＭ２０７に一時的に登録し、ステップＳ５に戻る。
【００６２】
ステップＳ５でＹＥＳのとき、ステップＳ４Ａにおいて、上記決定された配信先及び配信元のデータを含む配信先通知データを、受信通知データを送信してきた対応するファクシミリサーバ装置２０に返信して当該データサーバ処理を終了する。
【００６３】
図１２は、第２の実施形態に係るデータサーバ処理を含む処理動作を示すタイミングチャートである。図１２において、ファクシミリサーバ装置２０−１は、例えば、ファクシミリ装置２００から、公衆電話網Ｌ１を介してＩＴＵ−Ｔ勧告のＴ．３０の通信手順に基づいてファクシミリの画像データを受信する。これに応答して、ファクシミリサーバ装置２０−１は、表４に示す受信通知データをデータサーバ装置４０に送信する。この受信通知データでは、表４から明らかなように、元の配信元であるファクシミリ装置２００の形式や電話番号とともに、ファクシミリサーバ装置２０−１自身の装置能力のデータが含まれる。
【００６４】
【表４】
0003603809.tif 000005
【００６５】
次いで、データサーバ装置４０は、受信通知データに応答して、図１１のデータサーバ処理を実行することにより、配信条件テーブル２０７ａを参照して配信先を決定するとともに、ファクシミリサーバ装置能力テーブル２０７ｂを参照して配信元を決定し、これらの情報を含む表５に示す配信先通知データをファクシミリサーバ装置２０−１に返信する。表５から明らかなように、公衆電話網Ｌ１を介してファクシミリ送信するときは、ファクシミリ番号が指定される一方、例えば、ＳＭＴＰの通信手順により電子メールを用いて画像データを送信するときは、電子メールが指定される。なお、表５における、最後の２行は、画像記録部３により印字は無く、画像データと受信情報などを指定された場所に格納するということを示している。
【００６６】
【表５】
0003603809.tif 000006
【００６７】
次いで、ファクシミリサーバ装置２０−１は、配信先通知データに応答して、各クライアントＰＣ３０−１，３０−２及びメールサーバ装置５０に対して配信することをファクシミリサーバ装置２０−２に対して委託することを表す、表６に示す配信委託データをファクシミリサーバ装置２０−２に送信する。
【００６８】
【表６】
0003603809.tif 000007
【００６９】
さらに、ファクシミリサーバ装置２０−２は、ファクシミリサーバ装置２０−１からの配信委託データに基づいて、クライアントＰＣ３０−１及び３０−２やメールサーバ装置５０に対して配信すべき画像データを配信データとして送信した後、配信結果の情報を含む、表７に示す配信先結果通知データをデータサーバ装置４０に返信する。
【００７０】
【表７】
0003603809.tif 000008
【００７１】
第２の実施形態においては、配信条件テーブル２０７ａとファクシミリサーバ装置能力テーブル２０７ｂとをＲＡＭ２０７に格納し、配信条件の設定データと各ファクシミリサーバ装置２０の配信能力を保守し管理するデータサーバ装置４０を設けることにより、能力の異なる複数のファクシミリサーバ装置２０によってファクシミリシステムを構築することができる。
【００７２】
すなわち、ファクシミリサーバ装置２０は、配信の対象になる文書である画像データを受信すると、データサーバ装置４０に対して、配信条件を検索するための受信文書の諸情報を含む受信通知データをデータサーバ装置４０に対して送信することにより通知する。データサーバ装置４０への通知の方法は、ＳＭＴＰ、ＨＴＴＰあるいは独自のプロトコルなどで行う。さらに、受信文書である画像データの通知には自身の配信能力も合わせて記述してもよい。
【００７３】
データサーバ装置４０は、ファクシミリサーバ装置２０より通知された情報と、ファクシミリサーバ装置能力テーブル２０７ｂに格納されたそのファクシミリサーバ装置２０の配信能力をもとに、配信条件テーブル２０７ａにおいて内部の配信設定データを検索し、決定された配信先（配信しない場合を含む）と配信に適応したファクシミリサーバ装置２０の端末情報を応答として配信先通知データを用いてファクシミリサーバ装置２０に送信して通知する。そして、ファクシミリサーバ装置２０は、配信先通知データに含まれる通知された結果から、自身が配信する場合には、通知された配信先に配信を行い、その結果を配信先通知データを用いてデータサーバ装置２０に通知する。一方、他の端末装置であるファクシミリサーバ装置２０に配信させる指示が与えられていた場合には、指定された端末装置であるファクシミリサーバ装置２０に、データサーバ装置４０から受信した配信先情報と、文書の画像データを送信する。さらに、配信を委託されたファクシミリサーバ装置２０は配信終了後に配信結果通知データをデータサーバ装置４０に通知する。
【００７４】
なお、各ファクシミリサーバ装置２０には、データサーバ装置４０とのインターフェースと他のファクシミリサーバ装置２０に画像データを転送するインターフェースとを実装するだけで、配信の設定や管理などを行う能力及び配信に必要なすべての通信能力を実装していなくても、配信システムの端末装置として稼動できるという特有の効果を有する。
【００７５】
さらに、データサーバ装置４０は、通信の情報（ファクシミリサーバ装置２０のサーバ名や受信文書の諸情報、配信結果など）を、通信履歴として内部の通信管理データに記述することにより、通信を一元管理できるとともに、各ファクシミリサーバ装置２０の情報も合わせて一元管理することができる。
【００７６】
以上説明したように、第２の実施形態によれば、データサーバ装置４０は、ファクシミリサーバ装置２０からの受信通知データに応答して、当該受信通知データに対応する画像データの配信先及び配信元をそれぞれ配信条件テーブル２０７ａ及びファクシミリサーバ装置能力テーブル２０７ｂを検索して決定し、決定された配信先及び配信元を配信先通知データを用いてファクシミリサーバ装置２０に通知し、ファクシミリサーバ装置２０は、上記配信先通知データに応答して、決定された配信元が当該装置自身であるとき、対応する画像データを上記配信先通知データで指示された配信先に配信する一方、決定された配信元が当該装置自身以外のファクシミリサーバ装置であるとき、配信を委託する旨の配信委託データを対応する画像データとともに送信する。従って、複数のファクシミリサーバ装置２０を使用していても、各ファクシミリサーバ装置２０毎に配信条件を登録設定する必要がなく、ファクシミリサーバ装置２０を追加してもデータサーバ装置４０の配信条件テーブル２０７ａを利用できる。また、データサーバ装置４０に格納された配信条件テーブル２０７ａを変更するだけで、変更された配信条件テーブル２０７ａをすべてのファクシミリサーバ装置２０で適用できる。さらに、ファクシミリサーバ装置能力テーブル２０７ｂを参照して配信元を決定するので、最適な配信元を決定することができ、しかも配信条件と配信元の決定をデータサーバ装置４０で一元化することができる。それ故、当該ファクシミリシステムにおける操作性を大幅に向上させることができる。
【００７７】
＜変形例＞
以上の実施形態においては、ファクシミリサーバ装置２０の例について述べているが、本発明はこれに限らず、公衆電話網又は公衆デジタル回線網などの公衆網に接続された、例えば電話機、データ通信装置、サーバ装置などを含む通信端末装置に適用することができる。
【００７８】
【発明の効果】
以上詳述したように本発明に係るファクシミリシステムによれば、互いに通信回線を介して接続された複数のファクシミリサーバ装置とデータサーバ装置とを備えたファクシミリシステムにおいて、
上記データサーバ装置は、画像データの配信条件テーブル及びファクシミリサーバ装置能力テーブルを格納し、上記ファクシミリサーバ装置からの受信通知データに応答して、当該受信通知データに対応する画像データの配信先及び配信元をそれぞれ上記配信条件テーブル及びファクシミリサーバ装置能力テーブルを検索して決定し、決定された配信先及び配信元を配信先通知データを用いて上記ファクシミリサーバ装置に通知し、
上記各ファクシミリサーバ装置は、上記配信先通知データに応答して、決定された配信元が当該装置自身であるとき、対応する画像データを上記配信先通知データで指示された配信先に配信する一方、決定された配信元が当該装置自身以外のファクシミリサーバ装置であるとき、配信を委託する旨の配信委託データを対応する画像データとともに送信する。
従って、本発明によれば、複数のファクシミリサーバ装置を使用していても、各ファクシミリサーバ装置毎に配信条件を登録設定する必要がなく、ファクシミリサーバ装置を追加してもデータサーバ装置の配信条件を利用できる。また、データサーバ装置に格納された配信条件テーブルを変更するだけで、変更された配信条件テーブルをすべてのファクシミリサーバ装置で適用できる。さらに、ファクシミリサーバ装置能力テーブルを参照して配信元を決定するので、最適な配信元を決定することができ、しかも配信条件と配信元の決定をデータサーバ装置で一元化することができる。それ故、当該ファクシミリシステムにおける操作性を大幅に向上させることができる。
【００７９】
また、本発明に係るデータサーバ装置によれば、互いに通信回線を介して接続された複数のファクシミリサーバ装置とデータサーバ装置とを備えたファクシミリシステムのためのデータサーバ装置において、
上記データサーバ装置は、画像データの配信条件テーブル及びファクシミリサーバ装置能力テーブルを格納し、上記ファクシミリサーバ装置からの受信通知データに応答して、当該受信通知データに対応する画像データの配信先及び配信元をそれぞれ上記配信条件テーブル及びファクシミリサーバ装置能力テーブルを検索して決定し、決定された配信先及び配信元を配信先通知データを用いて上記ファクシミリサーバ装置に通知する。
従って、本発明によれば、複数のファクシミリサーバ装置を使用していても、各ファクシミリサーバ装置毎に配信条件を登録設定する必要がなく、ファクシミリサーバ装置を追加してもデータサーバ装置の配信条件を利用できる。また、データサーバ装置に格納された配信条件テーブルを変更するだけで、変更された配信条件テーブルをすべてのファクシミリサーバ装置で適用できる。さらに、ファクシミリサーバ装置能力テーブルを参照して配信元を決定するので、最適な配信元を決定することができ、しかも配信条件と配信元の決定をデータサーバ装置で一元化することができる。それ故、当該ファクシミリシステムにおける操作性を大幅に向上させることができる。
【００８０】
さらに、本発明に係るファクシミリサーバ装置によれば、互いに通信回線を介して接続された複数のファクシミリサーバ装置とデータサーバ装置とを備えたファクシミリシステムのためのファクシミリサーバ装置において、
上記ファクシミリサーバ装置は、上記配信先通知データに応答して、決定された配信元が当該装置自身であるとき、対応する画像データを上記配信先通知データで指示された配信先に配信する一方、決定された配信元が当該装置自身以外のファクシミリサーバ装置であるとき、配信を委託する旨の配信委託データを対応する画像データとともに送信する。
従って、本発明によれば、複数のファクシミリサーバ装置を使用していても、各ファクシミリサーバ装置毎に配信条件を登録設定する必要がなく、ファクシミリサーバ装置を追加してもデータサーバ装置の配信条件を利用できる。また、データサーバ装置に格納された配信条件テーブルを変更するだけで、変更された配信条件テーブルをすべてのファクシミリサーバ装置で適用できる。さらに、ファクシミリサーバ装置能力テーブルを参照して配信元を決定するので、最適な配信元を決定することができ、しかも配信条件と配信元の決定をデータサーバ装置で一元化することができる。それ故、当該ファクシミリシステムにおける操作性を大幅に向上させることができる。
【図面の簡単な説明】
【図１】本発明に係る第１の実施形態である、ファクシミリサーバ装置２０及びデータサーバ装置５０を備えたファクシミリシステムの構成を示すブロック図である。
【図２】図１のクライアントパーソナルコンピュータ３０の構成を示すブロック図である。
【図３】図１のファクシミリサーバ装置２０（２０−１，２０−２）の構成を示すブロック図である。
【図４】図１のデータサーバ装置４０の構成を示すブロック図である。
【図５】図４のＲＡＭ２０７内の配信条件テーブル２０７ａの一例を示す図である。
【図６】図４のファクシミリサーバ装置４０の主制御部２０１によって実行されるデータサーバ処理を示すフローチャートである。
【図７】図６のサブルーチンである配信先決定処理（ステップＳ３）の第１の部分を示すフローチャートである。
【図８】図６のサブルーチンである配信先決定処理（ステップＳ３）の第２の部分を示すフローチャートである。
【図９】第１の実施形態に係るデータサーバ処理を含む処理動作を示すタイミングチャートである。
【図１０】第２の実施形態に係るデータサーバ装置４０の構成を示すブロック図である。
【図１１】第２の実施形態に係るデータサーバ処理を示すフローチャートである。
【図１２】第２の実施形態に係るデータサーバ処理を含む処理動作を示すタイミングチャートである。
【符号の説明】
１…主制御部、
６…ＲＯＭ、
７…ＲＡＭ、
８…画像メモリ、
１０…ファックスモデム、
１１…ＮＣＵ、
１２…ＬＡＮインターフェース、
１３…バス、
２０，２０−１，２０−２…ファクシミリサーバ装置、
３０，３０−１乃至３０−Ｎ…クライアントパーソナルコンピュータ（クライアントＰＣ）、
４０…データサーバ装置、
５０…メールサーバ装置、
６０…ルータ装置、
７０…ローカルエリアネットワーク（ＬＡＮ）、
８０…公衆電話網、
９０…インターネット、
１０１…主制御部、
１０６…ＲＯＭ、
１０７…ＲＡＭ、
１０８…ハードディスクドライブ、
１１２…ＬＡＮインターフェース、
１１３…バス、
２０１…主制御部、
２０６…ＲＯＭ、
２０７…ＲＡＭ、
２０７…配信条件テーブル、
２０８…ハードディスクドライブ、
２１２…ＬＡＮインターフェース、
２１３…バス、
Ｌ１，Ｌ２…公衆電話回線。
【図１】
0003603809.tif 000009
【図２】
0003603809.tif 000010
【図３】
0003603809.tif 000011
【図４】
0003603809.tif 000012
【図５】
0003603809.tif 000013
【図６】
0003603809.tif 000014
【図７】
0003603809.tif 000015
【図８】
0003603809.tif 000016
【図９】
0003603809.tif 000017
【図１０】
0003603809.tif 000018
【図１１】
0003603809.tif 000019
【図１２】
0003603809.tif 000020